(57)【特許請求の範囲】
【請求項１】
色見本の候補となる色をそれぞれ表す複数のカラーパッチが印刷された色見本候補印刷物の作成方法であって、
前記色見本とすべき色を有する色見本対象物の三刺激値(X,Y,Z)を測定する測定工程と、
前記測定された三刺激値(X,Y,Z)を、所定の色データに変換する変換工程と、
前記変換された色データである基準色データによって表される基準色に近似する近似色を表すための複数の近似色データであって、前記基準色と複数の前記近似色で構成される複数の色の変化を等間隔とする前記複数の近似色データを生成する近似色データ生成工程と、
前記基準色データ及び前記生成された複数の近似色データと、これらの色データによって印刷される各カラーパッチとの対応関係を保持させる保持工程と、
前記基準色データ及び前記生成された複数の近似色データに従って各カラーパッチを印刷する印刷工程と、
を含むことを特徴とする色見本候補印刷物の作成方法。
【請求項２】
前記測定工程では、前記色見本対象物に対して背面から光を透過させた状態で、当該色見本対象物の前記三刺激値(X,Y,Z)を測定し、
前記色見本対象物を透過させずに前記光の三刺激値(Xn,Yn,Zn)を測定する光測定工程と、
前記光測定工程で測定された三刺激値(Xn,Yn,Zn)におけるYn値を「100」とするための正規化係数を導出し、導出した正規化係数に基づいて前記測定工程で測定された三刺激値(X,Y,Z)を正規化する正規化工程と、
を更に含むことを特徴とする請求項１に記載の色見本候補印刷物の作成方法。
【請求項３】
前記印刷工程では、各カラーパッチを、当該カラーパッチの表す色の濃淡に従って順に並べて印刷することを特徴とする請求項１又は２に記載の色見本候補印刷物の作成方法。
【請求項４】
前記変換工程では、前記測定された三刺激値(X,Y,Z)を、Lab値、CMYK値又はRGB値の何れかの色データに変換することを特徴とする請求項１乃至３の何れか一項に記載の色見本候補印刷物の作成方法。
【請求項５】
前記色見本は、評価対象物を色により評価する際の前記評価が切り替わる境界となる境界色であることを特徴とする請求項１乃至４の何れか一項に記載の色見本候補印刷物の作成方法。
【請求項６】
請求項１乃至５の何れか一項に記載の色見本候補印刷物の作成方法により作成された色見本候補印刷物を用いて、評価対象物を色により評価する際の色見本が印刷された評価判定シートを作成する作成方法であって、
前記色見本候補印刷物に印刷されたカラーパッチの中から、前記色見本対象物の有する色と同じ色を表すカラーパッチを、前記色見本候補印刷物及び前記色見本対象物に対して背面から光を照射するビューワーを用いて特定するカラーパッチ特定工程と、
前記保持工程で保持された対応関係を参照し、前記特定されたカラーパッチに対応する色データを特定する色データ特定工程と、
前記特定された色データに従って前記色見本を印刷する色見本印刷工程と、
を含むことを特徴とする評価判定シートの作成方法。
【発明の詳細な説明】
【技術分野】
【０００１】
本発明は、目的とする色を出力するための色データを特定する技術分野に関する。
【背景技術】
【０００２】
従来、評価対象物の色を目視で読み取り、予め用意されている色見本と対比することにより評価対象物に対する評価を下す、ということが行われている。
【０００３】
例えば、特許文献１には、電解液の検査方法が開示されており、不良電解液の色を色見本とし、検査対象の電解液の色が色見本と同じ色或いは近似する色であるか否かによって、検査対象の電解液が不良か否かを判定する。
【０００４】
また、特許文献２〜４には、尿や血液などの体液中のアルブミン、グルコース、白血球、ｐＨ、蛋白等の存在や量などを測定するための方法や道具について開示されている。これらによれば、体液に所定の試薬を調合して得られた色と色見本との比較を、効率的又は正確に行うことができる。
【０００５】
一方で、これらの検査では色見本との比較が行われることから、色見本の表す色が正確であることが厳格に要求される。また、これらの色見本は大量に作成する必要があるため、印刷機等で出力できるように正確な色見本を出力するための色データを特定することが要求される。
【先行技術文献】
【特許文献】
【０００６】
【特許文献１】特開平７−３５７３９号公報
【特許文献２】特開平９−１０５７４７号公報
【特許文献３】特開２００１−２６４３２７号公報
【特許文献４】特開２００７−１０１４８２号公報
【発明の概要】
【発明が解決しようとする課題】
【０００７】
こうした要求に対して、これまでは、色見本とすべき色（目的とする色）が印刷されるまで、色データを微調整しながら印刷と確認を繰り返すといった手法や、目的とする色と近似する異なる色を表すカラーパッチを数百点から数千点印刷し、何れのカラーパッチが目的とする色と一致するか（或いは近似するか）を確認するといった手法が取られており、何れの手法も、多大な時間と労力を要していた。
【０００８】
本発明は、このような問題等に鑑みて為されたもので、色見本を表すための色データを容易に特定することのできる色見本候補印刷物の作成方法等を提供することを課題とする。
【課題を解決するための手段】
【０００９】
上記課題を解決するために、請求項１に記載の発明は、色見本の候補となる色をそれぞれ表す複数のカラーパッチが印刷された色見本候補印刷物の作成方法であって、前記色見本とすべき色を有する色見本対象物の三刺激値(X,Y,Z)を測定する測定工程と、前記測定された三刺激値(X,Y,Z)を、所定の色データに変換する変換工程と、前記変換された色データである基準色データによって表される基準色に近似する近似色を表すための複数の近似色データであって、前記基準色と複数の前記近似色で構成される複数の色の変化を等間隔とする前記複数の近似色データを生成する近似色データ生成工程と、前記基準色データ及び前記生成された複数の近似色データと、これらの色データによって印刷される各カラーパッチとの対応関係を保持させる保持工程と、前記基準色データ及び前記生成された複数の近似色データに従って各カラーパッチを印刷する印刷工程と、を含むことを特徴とする。
【００１０】
この発明によれば、色見本候補印刷物には、色見本対象物から測定された三刺激値(X,Y,Z)に基づくカラーパッチを基準に、近似色を表す複数のカラーパッチが印刷されるが、基準となるカラーパッチの色が色見本対象物の有する色と極めて近似するため、近似色を表すカラーパッチの数を少なくすることができる。したがって、色見本とすべき色を表すカラーパッチを容易に特定し、延いては、保持工程で保持された対応関係からそのカラーパッチの色データを容易に特定することができる。
【００１１】
請求項２に記載の発明は、前記測定工程では、前記色見本対象物に対して背面から光を透過させた状態で、当該色見本対象物の前記三刺激値(X,Y,Z)を測定し、前記色見本対象物を透過させずに前記光の三刺激値(Xn,Yn,Zn)を測定する光測定工程と、前記光測定工程で測定された三刺激値(Xn,Yn,Zn)におけるYn値を「100」とするための正規化係数を導出し、導出した正規化係数に基づいて前記測定工程で測定された三刺激値(X,Y,Z)を正規化する正規化工程と、を更に含むことを特徴とする請求項１に記載の色見本候補印刷物の作成方法である。
【００１２】
一般的に、色見本対象物に対して背面から光を透過させた状態で当該色見本対象物の三刺激値(X,Y,Z)を測定した場合には、Yの値が「100」を超えてしまい、所定の色データに変換することができなかったり、出力することができなかったりするが、この発明によれば、Yの値をそういった不具合が生じないような好適な値に正規化することができる。
【００１３】
請求項３に記載の発明は、前記印刷工程では、各カラーパッチを、当該カラーパッチの表す色の濃淡に従って順に並べて印刷することを特徴とする請求項１又は２に記載の色見本候補印刷物の作成方法である。
【００１４】
この発明によれば、色見本候補印刷物に印刷されたカラーパッチが濃淡に従って順に並んでいるので、カラーパッチの中から色見本とすべき色を選択する場合に、色見本対象物と各カラーパッチとを順に比較できるので、迅速に選択することができる。
【００１５】
請求項４に記載の発明は、前記変換工程では、前記測定された三刺激値(X,Y,Z)を、Lab値、CMYK値又はRGB値の何れかの色データに変換することを特徴とする請求項１乃至３の何れか一項に記載の色見本候補印刷物の作成方法である。
【００１６】
請求項５に記載の発明は、前記色見本は、評価対象物を色により評価する際の前記評価が切り替わる境界となる境界色であることを特徴とする請求項１乃至４の何れか一項に記載の色見本候補印刷物の作成方法。
【００１７】
請求項６に記載の発明は、請求項１乃至５の何れか一項に記載の色見本候補印刷物の作成方法により作成された色見本候補印刷物を用いて、評価対象物を色により評価する際の色見本が印刷された評価判定シートを作成する作成方法であって、前記色見本候補印刷物に印刷されたカラーパッチの中から、前記色見本対象物の有する色と同じ色を表すカラーパッチを、前記色見本候補印刷物及び前記色見本対象物に対して背面から光を照射するビューワーを用いて特定するカラーパッチ特定工程と、前記保持工程で保持された対応関係を参照し、前記特定されたカラーパッチに対応する色データを特定する色データ特定工程と、前記特定された色データに従って前記色見本を印刷する色見本印刷工程と、を含むことを特徴とする。
【発明の効果】
【００１８】
本発明によれば、色見本候補印刷物には、色見本対象物から測定された三刺激値(X,Y,Z)に基づくカラーパッチを基準に、近似色を表す複数のカラーパッチが印刷されるが、基準となるカラーパッチの色が色見本対象物の有する色と極めて近似するため、近似色を表すカラーパッチの数を少なくすることができる。したがって、色見本とすべき色を表すカラーパッチを容易に特定し、延いては、保持工程で保持された対応関係からそのカラーパッチの色データを容易に特定することができる。
【図面の簡単な説明】
【００１９】
【図１】（Ａ）は、培地収納済シャーレＳが載置されていない状態の評価判定シート１の一例を示す図である。（Ｂ）は、培地収納済シャーレＳが載置されている状態の評価判定シート１一例を示す図である。
【図２】バリエーションチャートＶＣの一例を示す図である。
【図３】評価判定シート１の作成手順の一例を示すフローチャートである。
【図４】バリエーションチャートＶＣの作成手順の一例を示すフローチャートである。
【図５】（Ａ）は、各カラーパッチＰの色を表すLab値の規定方法の一例を説明するためのカラーテーブルの例図である。（Ｂ）は、（Ａ）の規定方法にしたがって具体的なLab値を記述した際のカラーテーブルの一例である。
【図６】カラーパッチＰの色を段階的に変化させる場合におけるカラーテーブルの一例である。
【図７】培地収納済シャーレＳが載置されている状態の評価判定シート１Ａの一例を示す図である。
【発明を実施するための形態】
【００２０】
以下、図面を参照して本発明の実施形態について説明する。本実施形態では、少なくとも光を透過する部分を有し、当該部分が有色である評価対象物について、当該部分の色が第１の色（「第１境界色」という。）と第２の色（「第２境界色」という。）と同じか又は両者の間に含まれる場合には可と評価し、第１境界色と第２境界色の間に含まれない場合には不可と評価する。
【００２１】
評価対象物としては、例えば、光透過性基材に着色した物や、肉や魚の切り身などの生鮮食品、尿や血液などの体液などを適用することができる。本実施形態では、評価対象物が、羊などの動物の血液を養分として含む寒天培地が収納され、蓋がされたシャーレ（「培地収納済シャーレ」という。）である場合について説明する。培地収納済シャーレは、底面から光を拡散照射すると光が透過するようになっており、寒天培地に不純物が混じっていないかを容易に確認できるようになっている。また、本実施形態では、培地収納済シャーレについて可／不可の評価を行う場合に底面（背面）から光を照射した状態で行うこととする。
【００２２】
[１．評価判定シートの概要]
まず、図１（Ａ）、（Ｂ）を用いて、培地収納済シャーレＳについて可／不可の評価を行う際に用いられる評価判定シート１について説明する。図１（Ａ）は、培地収納済シャーレＳが載置されていない状態の評価判定シート１を示す図であり、図１（Ｂ）は、培地収納済シャーレＳが載置されている状態の評価判定シート１を示す図である。評価判定シート１は、無色の光透過性フィルムに、第１境界色１１及び第２境界色１２が印刷されてできており、両者の間には培地収納済シャーレＳを載置すべき位置を示す載置位置指示線Ｌが培地収納済シャーレＳの形状に基づいて円形状に設けられており、その内部に載置領域１３が形成されている。評価を行う場合には、図１（Ｂ）に示すように、載置位置指示線Ｌと培地収納済シャーレＳの縁が重なるように培地収納済シャーレＳを載置するようになっている。第１境界色１１及び第２境界色１２は、培地収納済シャーレＳの可／不可を色で判定するための境界色（培地収納済シャーレＳを色により評価する際の評価が切り替わる境界となる境界色）である。一方、載置領域１３は、載置位置指示線Ｌにより他の領域と区切られているだけで無色である。載置位置指示線Ｌは、任意の色の線とすることができるが、評価をする際の邪魔にならないように無彩色の線とするのが好ましい。また、図１（Ａ）では、載置位置指示線Ｌを点線で示しているが、実線又は一点鎖線、二点鎖線など任意の形態の線とすることができる。載置領域１３は、第１境界色１１と第２境界色１２の間に形成されていることから、培地収納済シャーレＳの色（具体的には、培地収納済シャーレＳ内の培地Ｍの色）が、第１境界色と第２境界色と同じか又は両者の間の色であるか否かを、容易に判定することができる。
【００２３】
培地収納済シャーレＳについての評価は、評価判定シート１をビューワーに設置し、更に、評価判定シート１の載置領域１３に培地収納済シャーレＳを載置して行う。ビューワーは、載置面と、載置面の裏側から光を照射する光源部とを有し、載置面は磨りガラス状になっており光源部から照射された光が一様に拡散するようになっている。この構成により、載置面に物体を載置すると、該物体の全体に背面から光が均一に照射される。
【００２４】
[２．バリエーションチャートの概要]
次に、図２を用いて、バリエーションチャートの概要について説明する。バリエーションチャートは、評価判定シート１の第１境界色１１又は第２境界色１２の色を選択するために用いられ、第１境界色１１を選択するためのバリエーションチャート（「第１用バリエーションチャート」という。）と、第２境界色１２を選択するためのバリエーションチャート（「第２用バリエーションチャート」という。）が作成される。
【００２５】
図２に示すように、バリエーションチャートＶＣは、無色の光透過性フィルムに、評価判定シート１の第１境界色１１（又は第２境界色１２）の候補となる色を表す複数のカラーパッチＰ（本実施形態では、２７個のカラーパッチＰ１〜Ｐ２７）が印刷されている。
【００２６】
[３．評価判定シート１の作成方法]
次に、図３を用いて評価判定シート１の作成方法について説明する。
【００２７】
図３に示すように、評価判定シート１を作成するに当たり、まず、第１用バリエーションチャートＶＣと、第２用バリエーションチャートＶＣを作成する（ステップＳ１）。なお、バリエーションチャートＶＣの作成方法については後述する。
【００２８】
次いで、第１用バリエーションチャートのカラーパッチＰ１〜Ｐ２７の中から、評価判定シート１の第１境界色１１とすべき色のカラーパッチＰを選択する（ステップＳ２）。具体的には、第１用バリエーションチャートの各カラーパッチＰ１〜Ｐ２７と、後述の第１境界色とすべき色を有する見本となる培地収納済シャーレＳとを比較し、同一又は最も近似するカラーパッチＰを選択する。同様に、第２用バリエーションチャートのカラーパッチＰ１〜Ｐ２７の中から、評価判定シート１の第２境界色１２とすべき色のカラーパッチＰを選択する（ステップＳ３）。なお、ステップＳ２及びステップＳ３については、人間が目視によって行うこととしてもよいし、また、両者をカメラで撮影した撮影画像をコンピュータに入力して、コンピュータが同一色／近似色特定処理（入力された撮影画像から、第１境界色（又は第２境界色）とすべき色を有する培地収納済シャーレＳの色と、同一色又は近似色を有するカラーパッチＰを特定する処理）を実行することにより行うこととしてもよい。
【００２９】
次いで、それぞれ選択されたカラーパッチＰを印刷する際の基となった色データを用いて第１境界色１１及び第２境界色１２を印刷する（ステップＳ４）。これにより、評価判定シート１が作成される。なお、載置位置指示線Ｌについては、いずれかの工程で印刷することとしてもよいし、或いは、予め載置位置指示線Ｌが印刷されたフィルムに第１境界色１１及び第２境界色１２を印刷することとしてもよい。
【００３０】
[４．バリエーションチャートＶＣの作成方法]
次に、図４及び図５を用いてバリエーションチャートＶＣの作成方法について説明する。なお、第１用バリエーションチャートと第２用バリエーションチャートの作成方法は同様なので、ここでは、第１用バリエーションチャートの作成方法について説明し、第２用バリエーションチャートの作成方法については説明を省略する。
【００３１】
まず、ビューワーの載置面に何もおいていない状態で、載置面上方から載置面を透過した透過光を、分光測色計を用いて測定して完全拡散反射面の三刺激値(Xn,Yn,Zn)を取得する（ステップＳ１１）。なお、ステップＳ１１及び後述のステップＳ１２において分光測色計を用いて行う測定は、培地収納済シャーレＳについて評価を行う場合と同様に、ビューワーの光源部から光を照射した状態、すなわち、載置面の背面から光を照射した状態で行う。
【００３２】
次いで、ビューワーの載置面に第１境界色とすべき色を有する見本となる培地収納済シャーレＳ（「第１見本品」という。）を載置した状態で、載置面上方から第１見本品を透過した透過光を、分光測色計を用いて測定して三刺激値(X,Y,Z)を取得する（ステップＳ１２）。なお、見本となる、第１境界色を有する培地収納済シャーレＳを決定する際には、規格（例えば、ＪＩＳ(Japanese Industrial Standards)、ＩＳＯ(International Organization for Standardization)）やこれに準じて決定することとしてもよいし、要求される品質に応じて決定することとしてもよい。ステップＳ１１で取得された三刺激値(Xn,Yn,Zn)と、ステップＳ１２で取得された三刺激値(X,Y,Z)は、コンピュータに入力される。なお、コンピュータにはバリエーションチャート作成用プログラムがインストールされている。
【００３３】
次いで、コンピュータは、バリエーションチャート作成用プログラムを実行することにより、ステップＳ１２で取得された三刺激値(X,Y,Z)に対して、Yn値による正規化を行う（ステップＳ１３）。具体的には、まず、ステップＳ１１で取得された三刺激値(Xn,Yn,Zn)のYnを「100」に正規化するための正規化係数を算出する。ここでは、Ynを正規化係数で割ることにより「100」となるような正規化係数を算出する。なお、「100」となるような正規化係数を算出する理由は、反射光を測定した場合におけるYnの上限が「100」であることによる。次いで、算出した正規化係数を用いて、ステップＳ１２で取得された三刺激値(X,Y,Z)の各要素を割ることにより正規化を行う。ここで、一例として、(Xn,Yn,Zn)=(990,900,720)であって、(X,Y,Z)=(270,180,36)であった場合について説明する。この場合、Ynが「900」なので正規化するための正規化係数は「9」となる。そして、(270,180,36)の各要素を「9」で割ることにより、正規化された三刺激値(X,Y,Z)= (30,20,4)を得ることができる。
【００３４】
次いで、コンピュータは、バリエーションチャート作成用プログラムを実行することにより、ステップＳ１３で正規化された三刺激値(X,Y,Z)を変換し、Lab値を取得する（ステップＳ１４）。三刺激値(X,Y,Z)からLab値への変換方法については公知の変換方法等を用いることができる。
【００３５】
次いで、コンピュータは、バリエーションチャート作成用プログラムを実行することにより、ステップＳ１４で取得したLab値を基準に後述するカラーテーブルを作成する（ステップＳ１５）。カラーテーブルは、バリエーションチャートＶＣに印刷される各カラーパッチＰ１〜Ｐ２７の色を規定するテーブルである。カラーテーブルの作成方法は、様々想定されるが、ここでは図５を用いてその一例について説明する。なお、図５（Ａ）、（Ｂ）中に示す「パッチＮＯ」により各カラーパッチＰと色データの対応関係を判別できるようになっており、例えば、パッチＮＯが「１０」であるLab値は、カラーパッチＰ１０の色を表すための色データであることを判別できるようになっている。
【００３６】
図５（Ａ）は、バリエーションチャートＶＣにおける各カラーパッチＰの色を表すLab値の規定方法の一例を説明するための図である。まず、図５（Ａ）に示すように、ステップＳ１４で取得されたLab値は、基準となるカラーパッチＰ１４を表す色データ（すなわち、基準色データ）として記述される。また、図５（Ａ）の例では、基準色データを基準にL値、a値、b値の各要素を所定値（ΔL、Δa、Δb）だけ加算又は減算、或いはそのままとした計２７通りのLab値が算出され、それぞれカラーテーブルに記述される。ΔL、Δa、Δbの値は、要求される精度等によってそれぞれ任意に設定することができ、例えば、「１」以下の値を設定することができる。このように、カラーテーブルには、基準色データの一部（L値、a値及びb値の少なくとも何れか一方の値）を当該一部のデータの種別に応じて設定される所定値（ΔL、Δa、Δb）だけ変化させた近似色データが生成され、記述される。但し、ここで説明した一例とは異なる方法で、基準となるカラーパッチＰ１４以外のカラーパッチＰの色データを設定することとしてもよい。なお、作成されたカラーテーブルは、コンピュータ内の記憶装置又は外部記憶装置に記憶され、後からパッチＮＯに基づいて各カラーパッチＰの色データを特定できるようになっている。
【００３７】
図５（Ｂ）は、図５（Ａ）を用いて説明した規定方法にしたがって具体的な数値を記述した際のカラーテーブルの一例である。具体的には、ステップＳ１４で取得したLab値が(38,64,41)であり、ΔL=Δa=Δb=1であった場合の例である。
【００３８】
次いで、コンピュータは、バリエーションチャート作成用プログラムを実行することにより、ステップＳ１５で作成したカラーテーブルに基づいて各カラーパッチＰ１〜Ｐ２７を印刷するよう、印刷機に命令する（ステップＳ１６）。これにより、バリエーションチャートＶＣが作成される。
【００３９】
以上説明したように、本実施形態では、第１境界色１１（又は第２境界色１２）（「色見本」の一例）の候補となる色をそれぞれ表す複数のカラーパッチＰ１〜Ｐ２７が印刷されたバリエーションチャートＶＣ（「色見本候補印刷物」の一例）を作成する場合、第１境界色１１（又は第２境界色１２）とすべき色を有する見本となる培地収納済シャーレＳ（「色見本対象物」の一例）の三刺激値(X,Y,Z)を測定し（ステップＳ１２（「測定工程」の一例））、測定した三刺激値(X,Y,Z)を所定の色データ（本実施形態では、Lab値）に変換し（ステップＳ１４（「変換工程」の一例））、変換した色データを基準色データとし、基準色データによって表される色と近似する色を表すための複数の異なる近似色データを生成し（ステップＳ１５（「近似色データ生成工程」の一例））、基準色データ及び生成された複数の近似色データと、これらの色データによって印刷される各カラーパッチＰ１〜Ｐ２７との対応関係を示すカラーテーブルを記憶装置等に記憶（保持）させ（ステップＳ１５（「保持工程」の一例））、基準色データ及び生成された複数の近似色データに従って各カラーパッチＰ１〜Ｐ２７を印刷する（ステップＳ１６（「印刷工程」の一例））。
【００４０】
本実施形態で説明した方法で作成されるバリエーションチャートＶＣには、第１境界色１１（又は第２境界色１２）とすべき色を有する培地収納済シャーレＳから測定された三刺激値(X,Y,Z)に基づくカラーパッチＰ１４を基準に、近似色を表す複数のカラーパッチＰ１〜Ｐ１３、Ｐ１５〜Ｐ２７が印刷されるが、基準となるカラーパッチＰ１４の色が第１境界色１１（又は第２境界色１２）とすべき色を有する培地収納済シャーレＳの色と極めて近似するため、近似色を表すカラーパッチＰの数を少なく（本実施形態では２６個）することができる。したがって、第１境界色１１（又は第２境界色１２）とすべき色を表すカラーパッチＰを容易に特定することができ、また、記憶装置等に記憶（保持）されたカラーテーブルからその特定したカラーパッチＰの色データを容易に特定することができる。
【００４１】
また、本実施形態のように、光を透過する部分を有する培地収納済シャーレＳを評価する場合には、培地収納済シャーレＳを透過させずに直接、載置面を透過した透過光の刺激値(Xn,Yn,Zn)を測定する（ステップＳ１１（「光測定工程」の一例））とともに、第１境界色１１（又は第２境界色１２）とすべき色を有する培地収納済シャーレＳ（「見本対象部」の一例）に対して背面から光を透過させた状態で測定した三刺激値(X,Y,Z)を測定し（ステップＳ１２（「測定工程」の一例））、三刺激値(Xn,Yn,Zn)におけるYn値を「100」とするための正規化係数に基づいて、三刺激値(X,Y,Z)を正規化するのが好ましい（ステップＳ１３（「正規化工程」の一例））。一般的に、光を透過する部分を有する物体に対して背面から光を透過させた状態で当該対象物の三刺激値(X,Y,Z)を測定した場合には、Yの値が「100」を超えてしまい、Lab値などの色データに変換することができなかったり、出力することができなかったりするが、三刺激値(X,Y,Z)を正規化することでそういった不具合の発生を防ぐことができる。
【００４２】
また、バリエーションチャートＶＣにカラーパッチＰを印刷する際には、カラーパッチＰの色が段階的に変化するように印刷することとしてもよい。例えば、図６に示すように、バリエーションチャートＶＣの中央に位置するカラーパッチＰ１４の色データ（すなわち、基準色データ）をステップＳ１４で取得されたLab値とする。そして、基準色データからL値のみを「0.1」ずつ下げていった値を、それぞれパッチＮＯ「１３」〜「１」に対応するカラーパッチＰの色データ（すなわち、近似色データ）とし、また、基準色データからa値のみを「0.1」ずつ上げていった値を、それぞれパッチＮＯ「１５」〜「２７」に対応するカラーパッチＰの色データ（すなわち、近似色データ）とする。このように各カラーパッチＰの色データを定めた場合には、カラーパッチＰの色が段階的に変化するように並べて印刷される。なお、ここでは、L値のみ、又はa値のみを変化させる場合について説明したが、例えば、基準色データで表される色をディスプレイに表示させて、そこからL値、a値及びb値の少なくとも何れかの値を徐々に変化させて色を確認しながら、カラーパッチＰの色が段階的に変化するよう、各カラーパッチＰの色データを決めることとしてもよい。但し、各カラーパッチＰの色データを決めた場合には、カラーテーブルを作成するなど、各カラーパッチＰの色データを後から特定できるように対応付けて保持しておく必要がある。
【００４３】
このように、カラーパッチＰの色が段階的に変化するように印刷することにより、カラーパッチＰ１〜Ｐ２７の中から第１境界色１１（又は第２境界色１２）とすべき色を選択する場合に、第１境界色（又は第２境界色）とすべき色を有する見本となる培地収納済シャーレＳと各カラーパッチＰとを、中央付近に印刷されたカラーパッチＰ（例えば、カラーパッチＰ１４）から順に比較できるので、迅速に選択することができる。
【００４４】
なお、本実施形態では、所定の色データとしてLab値を用いて説明したが、Lab値の代わりにCMYK値やRGB値を用いることもできる。
【００４５】
また、本実施形態では、バリエーションチャートＶＣに印刷されたカラーパッチＰの中から、第１境界色１１（又は第２境界色１２）とすべき色を表すカラーパッチＰを選択した後に、該カラーパッチＰのLab値を取得しようとする場合には、記憶装置等に記憶されたカラーテーブルを参照する必要があるが、例えば、バリエーションチャートＶＣ内の、各カラーパッチＰの脇にそれぞれ、当該カラーパッチＰのLab値を印字する（「基準色データ及び生成された複数の近似色データと、これらの色データによって印刷される各カラーパッチとの対応関係を保持させる」ことの一例）こととしてもよい。この場合、第１境界色１１（又は第２境界色１２）とすべき色を表すカラーパッチＰを選択すると、その脇に印字された文字から、選択したカラーパッチＰのLab値を特定することができる。
【００４６】
また、シャーレはバリエーションチャートＶＣ（フィルム）より厚みがあって光の透過量が少ないため、培地収納済シャーレＳとバリエーションチャートＶＣの両者に背面から光を透過させた場合にバリエーションチャートＶＣに印刷されたカラーパッチＰの色が明るくなってしまう場合がある。この状態で、カラーパッチＰ１〜Ｐ２７の中から第１境界色１１（又は第２境界色１２）とすべき色を選択してしまうと適切な色を選択できないといった不都合が生じる場合がある。こういった場合の対策として、バリエーションチャートＶＣを複数枚重ねたり、バリエーションチャートＶＣを厚みのある光透過基板に貼付又は直接印刷したりして、バリエーションチャートＶＣにおける光の透過量を調整する対策が考えられる。また、カラーパッチＰを印刷する前工程で、フィルムの表面又は裏面或いはその双方に、透過する光の一部を遮るための遮光層（例えば、白色の遮光層）を印刷することとしてもよい。更に、フィルム自体を、顔料を混入させた樹脂フィルムとすることにより、光の透過量を調整することとしてもよい。なお、評価判定シート１についても培地収納済シャーレＳの培地Ｍの色と第１境界色１１（又は第２境界色１２）の色とを比較する際に、同様の問題が生じるので、同様の対策を施すのが好ましい。
【００４７】
また、本実施形態では、バリエーションチャートＶＣを、評価判定シート１の第１境界色１１（又は第２境界色１２）とすべき色を選択するために用いたが、バリエーションチャートＶＣによれば、ターゲット（紙媒体、透明媒体、粉末・・）と完全に見た目が一致する印刷物が作成できるため、その他用途（例えば、薬品の反応色見本（ｐＨ値と対応するリトマス試験紙の反応色等）の色を選択すること）にも利用することができる。
【００４８】
また、本実施形態では、バリエーションチャートＶＣは、光を透過する部分を有する評価対象物の評価を背面から光を照射した状態で行う場合に用いる評価判定シート１の第１境界色１１又は第２境界色１２を決定するために用いた。これに加えて、バリエーションチャートＶＣは、光を透過する部分を有する評価対象物の評価を背面から光を照射していない状態で行う場合、又は光を透過する部分を全く有さない評価対象物の評価を行う場合に用いる評価判定シート１の第１境界色１１又は第２境界色１２を決定するためにも用いることもできる。但し、この場合のバリエーションチャートＶＣを作成する場合には、ステップＳ１２において分光測色計を用いて行う測定を、背面から光を照射しない状態で行うこととする。
【００４９】
また、培地収納済シャーレＳを評価する場合に、本実施形態の評価判定シート１の代わりに、図７に示す評価判定シート１Ａを用いることもできる。評価判定シート１Ａには、第１境界色１１及び第２境界色１２の間に、培地収納済シャーレＳを載置すべき位置を示す載置位置指示線ＬＡが矩形状に培地収納済シャーレＳの大きさよりも大きく設けられており、その内部に載置領域１３Ａが形成されている。評価を行う場合には、載置領域１３Ａ内に培地収納済シャーレＳを載置するようになっている。なお、図７の例では、載置領域１３Ａが矩形状となっているが、培地収納済シャーレＳを載置すべき位置が示されればいいので、その他の形状（例えば、円形状）の載置領域１３Ａとなるように載置位置指示線ＬＡを設けることとしてもよい。
【符号の説明】
【００５０】
１  評価判定シート
１１  第１境界色
１２  第２境界色
１３  載置領域
Ｓ  培地収納済シャーレ
Ｌ  載置位置指示線
ＶＣ  バリエーションチャート
Ｐ１〜Ｐ２７  カラーパッチ
【図２】
0005845755.tif 000002
【図３】
0005845755.tif 000003
【図４】
0005845755.tif 000004
【図５】
0005845755.tif 000005
【図６】
0005845755.tif 000006
【図１】
0005845755.tif 000007
【図７】
0005845755.tif 000008